(57)【特許請求の範囲】
【請求項１】
エンジンによる回転駆動力を元に交流発電機により発生された交流電圧を整流する整流回路と、インダクタンス素子とコンデンサとから成るフィルタ回路を含み、前記整流回路からの直流電圧を商用交流電圧に変換するインバータ回路と、を備える発動発電機用インバータにおいて、前記インダクタンス素子は、
a)長円筒形状である絶縁性のボビンと、
b)前記ボビンの中空部の一方の半円状内周面に沿って収容される円柱棒状の第１コアと、
c)前記ボビンの中空部にあって該ボビンの他方の半円状内周面と前記第１コアの外周面との間に形成される空間に収容される、矩形状の珪素薄鋼板が多数積重されてなる第２コアと、
d)前記ボビンの外周面に沿って単線が巻回されてなるコイルと、
から成ることを特徴とする発動発電機用インバータ。
【請求項２】
前記ボビンの中空部に面する内周面に、少なくとも該内周面に面して収容される前記珪素薄鋼板と前記第１コアとの間を隔てるように突設された突部を有することを特徴とする請求項１に記載の発動発電機用インバータ。
【請求項３】
前記インダクタンス素子は、前記ボビンの両開口端面にそれぞれ装着される端面部材を含み、該端面部材により前記第１コア及び第２コアが前記ボビンの中空部に保持されることを特徴とする請求項１又は２に記載の発動発電機用インバータ。
【発明の詳細な説明】
【技術分野】
【０００１】
本発明は、エンジンの回転駆動力を元に交流発電機により発生される交流電圧を整流して得られる直流電圧を、例えば５０／６０Ｈｚで１００Ｖの商用交流電圧に変換する発動発電機用インバータに関し、特に、屋外レジャー用、野外工事用、非常用等の電源として使用される携帯型の発動発電機に好適なインバータに関する。
【背景技術】
【０００２】
携帯型の発動発電機は、ガソリンや軽油等の燃料を利用して任意の場所で照明やそのほかの電気機器の電源電力を手軽に得ることができることから、業務用途のみならずレジャー用途などにも広く利用されている。この種の発動発電機は運搬の容易性が重要であることから小型・軽量化が必須であり、それ以外に屋外での使用を考慮した防水性・防湿性も必要である。
【０００３】
上記のような携帯型の発動発電機として、従来、特許文献１に記載のものが知られている。一般に発動発電機では、交流発電機で発生される交流電圧を変換して得られる直流電圧から商用交流電圧を発生するためにインバータが使用されるが、上記文献に記載の発動発電機では、そのインバータの構成部品の１つであるインダクタンス素子の構造を工夫することにより、その占有体積を小さくしながら十分な性能を確保できるようにしている。
【０００４】
図７は上記文献に記載の従来のインダクタンス素子５０の構造を示す正面図（ａ）及び側面図（ｂ）である。このインダクタンス素子５０は、矩形状の珪素薄鋼板を多数枚積重することで角柱棒状に形成した主コア５１と、ガラスチューブにより主コア５１の周囲を覆う絶縁被膜５２と、該絶縁被膜５２を介して主コア５１の周囲に巻装されたコイル５３と、該コイル５３の外側に添設され、フェライトで構成された直方体状の補助コア５４と、から成る。主コア５１と補助コア５４とは固定用テープ５５を巻き付けることで一体化されている。
【０００５】
上述したようなインダクタンス素子５０では、インダクタ（コイル）効率を高めるために、主コア５１の外周面との間にできるだけ空隙ができないようにコイル５３を巻装することが望ましい。主コア５１は角柱棒状であるため、その外周面との間に空隙がないようにコイル５３を巻装するには、屈曲性の高い線を用いてコイル５３を形成する必要がある。しかしながら、こうした用途のコイルでは電流容量を大きくする必要があるため、単線を用いる場合にはその径がかなり太くなり屈曲性があまり良好ではない。そこで、径の細い線を多数撚り合わせた撚り線を使用するのが一般的である。そのため、単線を用いる場合に比べて線材自体のコストが高くつく。
【０００６】
また、こうした比較的屈曲性の高い線材を用いたとしても、自動巻線装置を利用した場合には角柱棒状の主コア５１の周囲に空隙が生じないように巻装するのは困難である。そのため、作業者が手作業でコイル５３の巻回作業を行う必要があり、そのために加工コストも大きくなる。また、手作業による巻回は作業に熟練を要するため作業者による出来のばらつきも大きく、品質や性能を安定に維持することが難しい。また、上記構造のインダクタンス素子では、コイル５３以外にも、絶縁被膜５２による被覆作業や固定用テープ５５の巻付け作業にも手間が掛かり、全体としてコストの削減が難しいという問題がある。
【０００７】
【特許文献１】特開２００３−１６９４８３号公報
【発明の開示】
【発明が解決しようとする課題】
【０００８】
本発明はこのような点に鑑みて成されたものであり、その目的とするところは、発動発電機用インバータに利用されるインダクタンス素子の性能を損なうことなくそのコストを低減し、さらに自動巻線装置によるコイルの巻回を可能とすることで品質や性能の安定性を向上させることができる発動発電機用インバータを提供することである。
【課題を解決するための手段】
【０００９】
上記課題を解決するために成された本発明は、エンジンによる回転駆動力を元に交流発電機により発生された交流電圧を整流する整流回路と、インダクタンス素子とコンデンサとから成るフィルタ回路を含み、前記整流回路からの直流電圧を商用交流電圧に変換するインバータ回路と、を備える発動発電機用インバータにおいて、前記インダクタンス素子は、
a)長円筒形状である絶縁性のボビンと、
b)前記ボビンの中空部の一方の半円状内周面に沿って収容される円柱棒状の第１コアと、
c)前記ボビンの中空部にあって該ボビンの他方の半円状内周面と前記第１コアの外周面との間に形成される空間に収容される、矩形状の珪素薄鋼板が多数積重されてなる第２コアと、
d)前記ボビンの外周面に沿って単線が巻回されてなるコイルと、
から成ることを特徴としている。
【００１０】
ここで「長円」とは、正円を中心点を通る直線で２分割して出来た２つの半円を上記直線に直交する方向に離間させ、その離間した端部同士をそれぞれ直線で繋いでできる図形である。
【発明の効果】
【００１１】
本発明に係る発動発電機用インバータにおいて、ボビンは長円筒状であるため、撚り線に比べれば硬く曲げにくい太径の単線であっても、ボビンの外周面に沿って空隙が殆どないように巻装したコイルを作製することができる。一方、長円筒状のボビンの中空部は、例えばフェライト等の磁性体から成る円柱棒状の第１コアと、多数の珪素薄鋼板が積重されることで形成された第２コアと、によりほぼ隙間無く満たされる。したがって、ボビンの外周面に沿って巻装されるコイルと第１及び第２コアとの間の距離はボビンの筒状体の肉厚にほぼ等しく、例えばボビンを合成樹脂から形成する場合に、その肉厚は例えば１ｍｍ程度とかなり薄くできる。そのため、コイルに電流を流した際に該コイルから発生する磁力線が無駄なく第１及び第２コアを通過する。したがって、磁力線の外部への漏れが小さく、コイル（インダクタ）効率を高くして所望のインダクタンス特性を得ることができる。
【００１２】
また、従来のように撚り線を使用せずに単線でコイルを形成することができ、しかも内周面が長円筒状となるように巻回すればよいので手作業でなく自動巻線装置を用いることができる。したがって、コイルの素材のコスト低減と加工コストの低減とを共に達成できる。また、長円筒状のボビンの中空部に収容される第１コア及び第２コアは、一般的に入手が容易な円柱棒状の磁性体（フェライトなど）と安価な材料である珪素薄鋼板との組み合わせにより構成することができるため、コアにかかるコストも低くて済む。さらにまた、ボビンは合成樹脂から成る成型品とすることができるので安価で済み、従来のような絶縁被覆やテープなどの装着作業は不要である。こうしたことから、本発明によれば、従来のインダクタンス素子に比べてコストを低減し、発動発電機のインバータを安価に提供することができる。
【００１３】
また、本発明に係る発動発電機用インバータでは、好ましくは、前記ボビンの中空部に面する内周面に、少なくとも該内周面に面して収容される前記珪素薄鋼板と前記第１コアとの間を隔てるように突設された突部を有する構成とするとよい。
【００１４】
この構成によれば、ボビンの内周面にその一面が接触している珪素薄鋼板の縁部が上記突部に当接することで、該珪素薄鋼板が第１コア側へ移動することが阻止される。つまりは突部が珪素薄鋼板に対するストッパとして機能するので、円柱棒状の第１コアの外周面とボビンの中空部の半円状内周面との間の隙間が珪素薄鋼板の厚さよりも大きいような場合であっても、上記隙間に珪素薄鋼板が入り込んでしまうことを防止することができる。これにより、ボビンの中空部において第１コアと第２コアの位置が安定し、それ故にインダクタンスとしての特性も安定する。
【００１５】
また、本発明に係る発動発電機用インバータでは、前記インダクタンス素子は、前記ボビンの両開口端面にそれぞれ装着される端面部材を含み、該端面部材により前記第１コア及び第２コアが前記ボビンの中空部に保持される構成とすることができる。
【００１６】
この構成によれば、端面部材をボビンに装着することで第１及び第２コアを安定的に保持できるので、組立が簡単であって組立作業の効率も良好である。
【発明を実施するための最良の形態】
【００１７】
以下、本発明に係るインバータを備える発動発電機の一実施例について説明する。図１は本実施例による発動発電機の概略ブロック構成図、図２は図１中のインバータの回路構成図である。
【００１８】
図１に示すように、この発動発電機は、ガソリン、軽油などを燃料とするエンジン１と、エンジン１により回転駆動される駆動軸を介して回転駆動力を受ける交流発電機２と、整流回路４及びインバータ回路５を含み、交流発電機２で発生させた交流電圧を一旦直流に整流した後に周波数が５０又は６０Ｈｚで電圧が１００Ｖである商用交流電圧に変換するインバータ３と、から成り、インバータ３による商用交流電圧が出力される電圧出力端子６に、電力供給先である負荷７が接続される。
【００１９】
この発動発電機では、エンジン１が作動すると、交流発電機２は２８００〜３８００ｒｐｍ程度の回転速度で安定的に回転駆動され、これにより電圧１１３〜２１２Ｖ、周波数３００〜５５０Ｈｚ程度の三相交流電圧が交流発電機２で発生されてインバータ３に加えられる。インバータ３では、まずダイオードブリッジから成る整流回路４において三相交流電圧が直流電圧に変換され、平滑用コンデンサ１１により平滑化される。電力用トランジスタ等のスイッチング素子１２、１３、１４、１５は図示しない制御回路から供給される数十ｋＨｚ程度のパルス信号によりオン／オフ駆動され、これにより高周波のｓｉｎ変調波が発生する。次段のインダクタンス素子１７とコンデンサ１８とにより構成されるフィルタ回路１６によりｓｉｎ変調波の高周波成分を除去すると、所望の商用周波数で１００Ｖの正弦波交流電圧が得られ、これが負荷７に供給されることになる。
【００２０】
図３（ａ）はインバータ３の概略上面図、図３（ｂ）は筐体のＡ−Ａ’矢視線断面図である。インバータ３の筐体は、下面に突出して放熱板２１が形成されたアルミダイカスト製の底板部２０と、該底板部２０の上にネジ２３で固定される合成樹脂から成る側面枠部２２とを含む。この筐体の内部には、図２で説明した各種電気部品を実装した回路基板２４が収容され、さらに回路基板２４が配置されていない部分にフィルタ回路１６のインダクタンス素子１７が収容されて、インダクタンス素子１７からの２本の引き出し線３５は真っ直ぐに伸びて回路基板２４上の端子２５に接続される。
【００２１】
なお、筐体内に回路基板２４やインダクタンス素子１７を初めとする必要な部品が全て装着された後に、筐体内には溶解したエポキシ樹脂が流し込まれ、全ての部品はエポキシ樹脂で被覆されることでモールドされる。これにより、インバータ３の防水性及び防湿性が確保され、高い信頼性を達成することができる。また、このインバータ３では、側面枠部２２が合成樹脂製であるので、この側面枠部２２を通してインダクタンス素子１７からの漏れ磁束による閉磁路が形成されるおそれがない。そのために、従来のようにコイルの外側に補助コアを設ける必要がない。
【００２２】
次に、特徴的な構造を有するインダクタンス素子１７について図４〜図６により説明する。図４は端面部材を取り外した状態のインダクタンス素子１７の上面図（ａ）及び側面図（ｂ）、図５は側面図の一部の拡大図、図６はボビンの両開口端面に装着される端面部材の正面図（ａ）と、組立状態でのＢ−Ｂ’矢視線断面図（ｂ）、Ｃ−Ｃ’矢視線断面図（ｃ）である。
【００２３】
このインダクタンス素子１７は、合成樹脂（例えばポリブチレンテレフタレート：ＰＢＴ）から成る長円筒状のボビン３０と、ボビン３０の外周面に巻装された、径が２．８ｍｍであるポリエステル銅線の単線から成るコイル３１と、ボビン３０の中空部に収容され、その中空部の一方の半円形状の内周面の径よりも僅かに小さい径を有する円柱棒状のフェライトから成る第１コア３２と、ボビン３０の中空部で第１コア３２が収容される以外の空間を満たすように、多数の同サイズの矩形状の珪素薄鋼板を積重させた第２コア３３と、第１及び第２コア３２、３３の両端を保持するためにボビン３０の両開口端面に装着される一対の端面部材３４と、から成る。コイル３１の両端からは同方向に略平行に引き出し線３５が引き出されており、引き出し線３５の先端には圧着端子３６が取り付けられている。
【００２４】
図５に示すように、ボビン３０の中空部の内周面は完全な長円形状ではなく、半円形状部３０ａの外側において内方に突出し且つ軸方向に延伸する突部３０ｂが２個所に形成されている。この半円形状部３０ａに沿うように第１コア３２を収容したとき、第１コア３２の径と半円形状部３０ａの径との相違によるガタが存在し、第１コア３２の外周面と半円形状部３０ａとの間には隙間が形成される。この隙間が１枚の珪素薄鋼板の厚さよりも大きい場合、上記突部３０ｂがないと最も外側の（つまりボビン３０の内周面に面する）珪素薄鋼板が移動して上記隙間に入り込んでしまうおそれがある。これに対し、本実施例のように突部３０ｂを設けておくことにより、最も外側の珪素薄鋼板の縁部はこの突部３０ｂに当接して、つまりは突部３０ｂがストッパとして機能して、第１コア３２の方向への移動が阻止される。このため、上述のような隙間への珪素薄鋼板の入り込みを防止することができ、第２コアにおける珪素薄鋼板の積重状態が安定する。
【００２５】
なお、図５に示すように、突部３０ｂは第１コア３２の外周面との間に隙間が形成されるような形状に意図的に形成されている。これは、上述したように樹脂モールドの際に流し込まれるエポキシ樹脂が第１コア３２と突部３０ｂとの間の隙間にも流れ込むようにするためである。これにより、樹脂モールドされた状態では、第１コア３２、第２コア３３ともに樹脂で固められ、ボビン３０の中空部で所望の位置に固定されることになる。
【００２６】
ボビン３０の両端開口面に装着される端面部材３４はボビン３０と同様の合成樹脂から成る成型品であり、ボビン３０の端部が装入される軸方向に短い筒状部３４２と、該筒状部３４２の一端面から外側に張り出した鍔部３４１と、筒状部３４２の他端面から内方に張り出した押さえ部３４３と、を有する。さらに、筒状部３４２の一部には一対の爪部３４４が形成されている。ボビン３０の端部には上記爪部３４４が嵌合する嵌合穴３０ｃが形成されており、端面部材３４の筒状部３４２をボビン３０の端部に挿入すると、図６（ｃ）に示すように爪部３４４が嵌合穴３０ｃに嵌り込んで端面部材３４の位置が固定される。
【００２７】
この状態において、押さえ部３４３はボビン３０の両開口端面の一部を閉塞するから、ボビン３０の中空部に収容された第１コア３２及び第２コア３３の端部は押さえ部３４３により係止されて抜けが防止できる。即ち、前述の如くボビン３０の中空部に第１コア３２及び第２コア３３を収容した後に端面部材３４を取り付ければ、第１コア３２及び第２コア３３はボビン３０の中空部に安定的に保持され、その状態で以て図３（ａ）に示すように筐体内に取り付けることができる。その後に筐体内にエポキシ樹脂を流し込めば、ボビン３０の中空部の隙間に樹脂が流れ込んで第１コア３２及び第２コア３３は完全に固定される。
【００２８】
以上説明したように、本実施例による発動発電機用インバータでは、フィルタ回路１６の構成部材であるインダクタンス素子１７の構造が簡単であり、組立作業も簡単である。特にコイル３１は単線の巻回により形成可能であるので、撚り線を利用する場合に比べて素材のコストがかなり割安であり、自動巻線装置を使用できることから加工コストも抑えることができる。また、そうしたコストの削減にも拘わらず、コイル３１とコア３２、３３との間の隙間を小さくできるので、コイル３１から発生する磁力線を有効に利用して高いコイル効率を達成できる。
【００２９】
なお、上記実施例は本発明の一例であり、本発明の趣旨の範囲で適宜変形、修正、追加を行っても本願特許請求の範囲に包含されることは当然である。例えば、上記実施例において挙げた各部材の材料は一例であって、適宜に変更することができる。
【図面の簡単な説明】
【００３０】
【図１】本発明に係るインバータを備える発動発電機の一実施例である発動発電機の概略ブロック構成図。
【図２】図１中のインバータの回路構成図。
【図３】インバータの概略上面図（ａ）及び筐体のＡ−Ａ’矢視線断面図。
【図４】端面部材を取り外した状態のインダクタンス素子の上面図（ａ）及び側面図（ｂ）。
【図５】図４（ｂ）の一部の拡大図。
【図６】ボビンの両開口端面に装着される端面部材の正面図（ａ）、組立状態でのＢ−Ｂ’矢視線断面図（ｂ）、及びＣ−Ｃ’矢視線断面図（ｃ）。
【図７】従来のインダクタンス素子の構造を示す正面図（ａ）及び側面図（ｂ）。
【符号の説明】
【００３１】
１…エンジン
２…交流発電機
３…インバータ
４…整流回路
５…インバータ回路
６…電圧出力端子
７…負荷
１１…平滑用コンデンサ
１２、１３、１４、１５…スイッチング素子
１６…フィルタ回路
１７…インダクタンス素子
１８…コンデンサ
２０…底板部
２１…放熱板
２２…側面枠部
２３…ネジ
２４…回路基板
２５…端子
３０…ボビン
３０ａ…半円形状部
３０ｂ…突部
３０ｃ…嵌合穴
３１…コイル
３２…第１コア
３３…第２コア
３４…端面部材
３４１…鍔部
３４２…筒状部
３４３…押さえ部
３４４…爪部
３５…引き出し線
３６…圧着端子
【図１】
0004677361.tif 000002
【図２】
0004677361.tif 000003
【図３】
0004677361.tif 000004
【図４】
0004677361.tif 000005
【図５】
0004677361.tif 000006
【図６】
0004677361.tif 000007
【図７】
0004677361.tif 000008